Podtech/llm-jp-corpus-v4-ja_patent huggingface dataset:
【手続補正書】
【提出日】平成18年1月31日(2006.1.31)
【手続補正１】
【補正対象書類名】明細書
【補正対象項目名】特許請求の範囲
【補正方法】変更
【補正の内容】
【特許請求の範囲】
【請求項１】  ベース部材に対して所定方向における相対移動が可能なテーブル部材にねじ部が設けてあり、前記ベース部材に回転可能に固定され、かつ、前記ねじ部と嵌合するねじ軸をモータにより回転させることにより前記テーブル部材をねじ軸に沿って変位させる位置制御方法において、
前記モータを回転させることにより前記ねじ軸をねじれ方向に弾性変形させた状態で前記テーブル部材を変位させ、前記モータの停止時においても前記ねじ軸を弾性変形させた状態で保持することを特徴とする位置制御方法。
【請求項２】  前記ねじ軸またはモータの回転軸を加圧固定することで、前記モータの停止時においても前記ねじ軸を弾性変形させた状態で保持することを特徴とする請求項１に記載の位置制御方法。
【請求項３】  前記モータは振動体であるステータとロータを備えた振動波モータであり、前記ステータとロータの間に生じる静止摩擦によって、前記モータの停止時においても前記ねじ軸を弾性変形させた状態で保持することを特徴とする請求項１に記載の位置制御方法。
【請求項４】  前記ねじ軸と前記テーブル部材のねじ部の摩擦力によって、前記モータを回転させることにより前記ねじ軸をねじれ方向に弾性変形させることを特徴とする請求項１乃至３の何れかに記載の位置制御方法。
【請求項５】  ベース部材に対して所定方向における相対移動が可能なテーブル部材と、
前記ベース部材に回転可能に固定され、ねじれ方向の弾性変形が可能なねじ軸と、
前記ねじ軸と嵌合し、前記テーブル部材に一体的に固定されたねじ部と、
前記ねじ軸の一端と連結され、前記ねじ軸を回転させることにより前記テーブル部材を変位させるモータと、
前記ねじ軸に弾性変形が生じた状態で前記ねじ軸を加圧固定する加圧固定手段と、を有することを特徴とする位置制御装置。
【請求項６】  ベース部材に対して所定方向における相対移動が可能なテーブル部材と、
前記ベース部材に回転可能に固定され、ねじれ方向の弾性変形が可能なねじ軸と、
前記ねじ軸と嵌合し、前記テーブル部材に一体的に固定されたねじ部と、
前記ねじ軸の一端と連結され、前記ねじ軸を回転させることにより前記テーブル部材を変位させるモータと、
前記ねじ軸に弾性変形が生じた状態で前記モータの回転軸を加圧固定する加圧固定手段と、を有することを特徴とする位置制御装置。
【請求項７】  前記モータおよび前記加圧固定手段とが振動波モータであることを特徴とする請求項６に記載の位置制御装置。
【請求項８】  前記振動波モータは振動体であるステータとロータの間の静止摩擦により、前記回転軸を加圧固定することを特徴とする請求項７に記載の位置制御装置。
【手続補正２】
【補正対象書類名】明細書
【補正対象項目名】００１３
【補正方法】変更
【補正の内容】
【００１３】
【課題を解決するための手段】
上記課題を解決するために、本願の請求項１に係る発明は、ベース部材に対して所定方向における相対移動が可能なテーブル部材にねじ部が設けてあり、前記ベース部材に回転可能に固定され、かつ、前記ねじ部と嵌合するねじ軸をモータにより回転させることにより前記テーブル部材をねじ軸に沿って変位させる位置制御方法において、前記モータを回転させることにより前記ねじ軸をねじれ方向に弾性変形させた状態で前記テーブル部材を変位させ、前記モータの停止時においても前記ねじ軸を弾性変形させた状態で保持するものである。
【手続補正３】
【補正対象書類名】明細書
【補正対象項目名】００１４
【補正方法】変更
【補正の内容】
【００１４】
同様に上記課題を解決するために、本願の請求項５に記載の発明は、ベース部材に対して所定方向における相対移動が可能なテーブル部材と、前記ベース部材に回転可能に固定され、ねじれ方向の弾性変形が可能なねじ軸と、前記ねじ軸と嵌合し、前記テーブル部材に一体的に固定されたねじ部と、前記ねじ軸の一端と連結され、前記ねじ軸を回転させることにより前記テーブル部材を変位させるモータと、前記ねじ軸に弾性変形が生じた状態で前記ねじ軸を加圧固定する加圧固定手段とを有することを特徴とする位置制御装置とする。
【手続補正４】
【補正対象書類名】明細書
【補正対象項目名】００１５
【補正方法】変更
【補正の内容】
【００１５】
同様に上記課題を解決するために、本願の請求項６に記載の発明は、ベース部材に対して所定方向における相対移動が可能なテーブル部材と、前記ベース部材に回転可能に固定され、ねじれ方向の弾性変形が可能なねじ軸と、前記ねじ軸と嵌合し、前記テーブル部材に一体的に固定されたねじ部と、前記ねじ軸の一端と連結され、前記ねじ軸を回転させることにより前記テーブル部材を変位させるモータと、前記ねじ軸に弾性変形が生じた状態で前記モータの回転軸を加圧固定する加圧固定手段とを有することを特徴とする位置制御装置とする。
【手続補正書】
【提出日】平成18年10月20日(2006.10.20)
【手続補正１】
【補正対象書類名】明細書
【補正対象項目名】００１７
【補正方法】変更
【補正の内容】
【００１７】
そして、このような海洋光合成細菌であるロドビュラム スルフィドフィラムの突然変異体を得る方法については、特に制限はないが、例えば、所定の細胞濃度に調整した細胞懸濁液中に所定濃度のＥＭＳ（Ethyl methanesulfonate）を添加し、次いで室温で数分間培養した後、得られた菌体をリン酸緩衝液で洗浄し、更に光合成細菌用培地で洗浄した後、寒天プレートに植菌して培養し、増殖した菌株のうちから緑色の株のみを選択して採取することにより、ロドビュラム スルフィドフィラムの突然変異体を得ることができる。本発明の実施例１で用いたロドビュラム スルフィドフィラムの突然変異体は、Rhodovulum sulfidophilum NKPB160471RMと命名され、２００４年９月７日付けで独立行政法人製品評価技術基盤機構特許生物寄託センターに受託番号「NITE P-21」として寄託されている。
【手続補正２】
【補正対象書類名】明細書
【補正対象項目名】００２１
【補正方法】変更
【補正の内容】
【００２１】
本発明において、特に好ましい形質転換体としては、上記のニューロスポレン（Neurosporene）以降のカロテノイド合成経路が失活した海洋光合成細菌であるロドビュラム スルフィドフィラムの突然変異体（受託番号：NITE P-21）に、フィトエンデサチュラーゼをコードする原核生物由来の遺伝子crtＩ、リコペンサイクラーゼをコードする原核生物由来の遺伝子crtＹ、β-カロテンハイドロキシラーゼをコードする原核生物由来の遺伝子crtＺ、及びβ-カロテン-C(4)-オキシゲナーゼをコードする原核生物由来の遺伝子crtＷとプロモーターとしてpufを含む組換えベクタープラスミドを導入して得られたものを挙げることができる。この形質転換体は、アスタキサンチンまでのカロテノイド生産能を有するものであり、Rhodovulum sulfidophilum NKPB160471RM(pRKY415WZ)と命名され、２００４年９月７日付けで独立行政法人製品評価技術基盤機構特許生物寄託センターに受託番号「NITE P-22」として寄託されている。
【手続補正３】
【補正対象書類名】明細書
【補正対象項目名】００３１
【補正方法】変更
【補正の内容】
【００３１】
〔工程４〕ロドビュラム スルフィドフィラム（Rhodovulum sulfidophilum）
の突然変異体の作製
細胞濃度１×１０9cells/mlに調整した１．５mlのロドビュラム スルフィドフィラムNKPB160471Rに、濃度４重量%となるようにエチルメタンスルフォン酸（EMS）を添加し、室温で５分間インキュベートし、その後、菌体をリン酸緩衝液（pH 7.0）で４回、また、光合成細菌用培地（RCVB培地）で２回それぞれ洗浄し、次いで寒天プレート（Rifampicin 80μg/ml含有）に植菌し、３２℃、暗条件下で培養し、得られた培養物から緑色の菌株（突然変異体）を分取した。
このロドビュラム スルフィドフィラムの突然変異体については、ロドビュラム スルフィドフィラム（Rhodovulum sulfidophilum）NKPB160471RMと命名され、発明者 松永  是により２００４年９月７日付けで独立行政法人製品評価技術基盤機構特許生物寄託センターに寄託番号「NITE P-21」として寄託された。
【手続補正４】
【補正対象書類名】明細書
【補正対象項目名】００３２
【補正方法】変更
【補正の内容】
【００３２】
〔工程５〕ロドビュラム スルフィドフィラムの形質転換
上記工程３で得られた組換えベクタープラスミド（pRKY415WZ）をエレクトロポレーション法（2.5V, 25uFD, 200Ω, Biorad社製Gene Pulser）により大腸菌E. coli S17-1に導入した。得られたE. coli S17-1の形質転換体（1.0×1010cells/ml）とロドビュラム スルフィドフィラムNKPB160471RM（1.0×1010cells/ml）とを１：１０の割合で混合し、ＲＣＶＢプレートにスポットして３２℃、暗条件下に２４時間インキュベートした。
得られたロドビュラム スルフィドフィラムの形質転換体については、ロドビュラム スルフィドフィラム（Rhodovulum sulfidophilum）NKPB160471RM(pRKY415WZ)と命名され、発明者 松永  是により２００４年９月７日に独立行政法人製品評価技術基盤機構特許生物寄託センターへ寄託番号「NITE P-22」として寄託された。
【手続補正５】
【補正対象書類名】明細書
【補正対象項目名】００４０
【補正方法】変更
【補正の内容】
【００４０】
［比較例２］
上記実施例１の工程４で得られたロドビュラム スルフィドフィラムの突然変異体NKPB160471RM（寄託番号：NITE P-21）について、上記実施例１と同様にして培養した後、カロテノイドの抽出及び測定を行った。結果を表５に示す。
【手続補正書】
【提出日】平成18年2月24日(2006.2.24)
【手続補正１】
【補正対象書類名】明細書
【補正対象項目名】０００１
【補正方法】変更
【補正の内容】
【０００１】
この発明は、生のどくだみ草よりその薬効成分を含有する生どくだみ草搾汁液を脱臭する方法に関するものである。
【手続補正２】
【補正対象書類名】明細書
【補正対象項目名】０００２
【補正方法】変更
【補正の内容】
【０００２】
どくだみ草は、強心作用、整腸作用、血圧調整作用、解毒作用等を有するフラボノール配糖体であるイソクエルチトリン、クエルチトリン等の薬効成分を豊富に含有し、古くから民間薬として利用されている。上記どくだみ草の薬効は遅効性であるが副作用もなく、安全性の高い薬効飲料とすることができるものである。しかしながら、周知のように生どくだみ草には特有の強い不快臭があり、搾汁した液体は飲用に供せられるものではなかった。
【手続補正書】
【提出日】平成18年5月19日(2006.5.19)
【手続補正１】
【補正対象書類名】特許請求の範囲
【補正対象項目名】全文
【補正方法】変更
【補正の内容】
【特許請求の範囲】
【請求項１】
ドラムに装着され、内部に液体を収容するための液体収容空間を備えたバランサリングと、
前記バランサリングの内部に配置された複数個の第１バッフルと、
前記複数個の第１バッフルの間に配置された前記第１バッフルよりも高さの低い複数個の第２バッフルと、
を含んで構成されることを特徴とする洗濯機のバランサ。
【請求項２】
前記洗濯機のバランサには、前記液体収容空間を半径方向に区画する一つ以上の隔壁が形成されることを特徴とする請求項１に記載の洗濯機のバランサ。
【請求項３】
前記第１バッフル及び第２バッフルは、前記バランサリングの外壁部の内周面及び前記隔壁の内周面からそれぞれ放射状に突出されることを特徴とする請求項２に記載の洗濯機のバランサ。
【請求項４】
前記ドラムが高速回転する通常の脱水行程であるとき、前記バランサリング内に半径方向外側に集まった液体は、前記第１バッフルの高さより低く、前記第２バッフルの高さより高いか同一であることを特徴とする請求項１乃至３のいずれか１項に記載の洗濯機のバランサ。
【請求項５】
前記第１バッフルの高さは、前記液体収容空間の高さの約６０％乃至８０％であることを特徴とする請求項１に記載の洗濯機のバランサ。
【請求項６】
前記第２バッフルの高さは、前記第１バッフルの高さの約４０％乃至６０％であることを特徴とする請求項１に記載の洗濯機のバランサ。
【請求項７】
前記第１バッフル及び第２バッフルは、前記バランサリングの円周方向に交互に形成されることを特徴とする請求項１に記載の洗濯機のバランサ。
【請求項８】
前記洗濯機のバランサは、前記ドラムの前面及び背面のうち少なくとも一側に設置されることを特徴とする請求項１に記載の洗濯機のバランサ。
【請求項９】
ドラムに装着され、一面が開放されて内部に液体収容空間を備えたバランサハウジングと、
前記バランサハウジングの開放面を覆うバランサカバーと、
前記液体収容空間を半径方向に複数個に区画する一つ以上の隔壁と、
前記バランサハウジング及び隔壁に放射状に配置される複数個の第１バッフルと、
前記複数個の第１バッフルと交互に位置されるように、前記バランサハウジング及び隔壁に放射状に配置された前記第１バッフルよりも高さの低い複数個の第２バッフルと、を含んで構成されたことを特徴とする洗濯機のバランサ。
【請求項１０】
前記バランサハウジングに配置される第１バッフル及び第２バッフルは、前記バランサカバー及び前記隔壁と離隔して形成され、
前記隔壁に配置される第１バッフル及び第２バッフルは、前記バランサカバー、その内側に位置される他の隔壁及び前記バランサハウジングの内壁部と離隔して形成されることを特徴とする請求項９に記載の洗濯機のバランサ。
【請求項１１】
少なくとも一つの請求項１に記載のバランサを有することを特徴とする洗濯機のドラム。
【請求項１２】
少なくとも一つの請求項１に記載のバランサを有するドラムを有することを特徴とする洗濯機。
【手続補正書】
【提出日】平成18年9月22日(2006.9.22)
【手続補正１】
【補正対象書類名】特許請求の範囲
【補正対象項目名】全文
【補正方法】変更
【補正の内容】
【特許請求の範囲】
【請求項１】
微生物またはウイルスに対して反応性を有する粒子を放出し、微生物またはウイルスが有する核酸を破壊しない条件で微生物またはウイルスが有するタンパク質を断片化することを特徴とする殺菌方法。
【請求項２】
動物（ヒトを除く）の損傷した患部または粘膜部に反応性を有する粒子を放出し、前記患部または粘膜部に存在する微生物またはウイルスが有する核酸を破壊しない条件で微生物またはウイルスが有するタンパク質を断片化することを特徴とする殺菌方法。
【請求項３】
前記タンパク質の断片化が、タンパク質に対し、酸化、還元、加水分解および付加反応から選ばれるいずれかの反応を生じさせることを特徴とする、請求項１または２に記載の殺菌方法。
【請求項４】
核酸を破壊することなくタンパク質を断片化させる反応性を有する粒子を含む空気を放出することによって放出対象における微生物またはウイルスを殺菌する装置。
【請求項５】
反応性を有する粒子を含む空気を送風するための風洞を有し、反応性を有する粒子を放出対象に放出する放出手段と、前記放出手段が生成した当該風洞にて前記送風の風速を制御する制御手段とを備える請求項４に記載の殺菌装置。
【請求項６】
前記反応性を有する粒子を含む空気に液体の微粒子を添加するための手段をさらに備える、請求項５に記載の殺菌装置。
【請求項７】
前記制御手段が、放出対象領域を検知するセンサで検知された情報に基づいて、送風する反応性を有する粒子を含む空気の風速を制御させるものである請求項５または６に記載の殺菌装置。
【手続補正書】
【提出日】平成18年10月19日(2006.10.19)
【手続補正１】
【補正対象書類名】特許請求の範囲
【補正対象項目名】全文
【補正方法】変更
【補正の内容】
【特許請求の範囲】
【請求項１】
液体または膜状物に反応性を有する粒子を放出することによって、当該液体または膜状物に含まれるタンパク質を断片化することを特徴とする処理方法。
【請求項２】
前記反応性を有する粒子を放出後の膜状物または液体を覆うように保護層を形成することを特徴とする、請求項１に記載の処理方法。
【請求項３】
反応性を有する粒子を発生する手段と、
タンパク質を含む材料中のタンパク質を材料表面に露出させるための手段と、
前記露出したタンパク質に前記反応性を有する粒子を放出する手段とを備える、処理装置。
【請求項４】
反応性を有する粒子を発生する手段と、
タンパク質を含む洗浄液を物体表面に接触もしくは噴霧する手段と、
前記接触もしくは噴霧した後の物体表面に反応性を有する粒子を放出する手段とを備える、洗浄装置。
【請求項５】
反応性を有する粒子を発生する手段と、
反応性を有する粒子を放出する手段と、
不活化対象物である微生物、タンパク質またはウイルスに関する情報を入力する入力手段と、
前記不活化対象物に関する生化学的特長データを予め記憶する記憶手段と、
入力手段により入力された情報を記憶手段のデータを照合し、不活化対象物の不活化性能を予測する演算手段と、
演算手段による結果に基づき、不活化対象物が有するタンパク質を断片化するような条件で反応性の粒子を当該不活化対象物に放出するように放出手段を制御する制御手段とを備える、処理装置。
【手続補正書】
【提出日】平成18年7月20日(2006.7.20)
【手続補正１】
【補正対象書類名】明細書
【補正対象項目名】００２５
【補正方法】変更
【補正の内容】
【００２５】
前送り台40は、長手方向に延びる切欠き42を基端部（後端部）に備えており、この切欠き42に挿通保持された角駒44の支軸43により、前記後送り台41と共に筒形ベッド２の内部に支持されている。また前送り台40は、長手方向の略中央に長孔45を備え、この長孔45よりも先端側（前側）に長孔47を備えている。前側の長孔47には、後送り台41との連結のための角駒48が挿通保持されている。この角駒48は、上下及び前後に所定の隙間を有して中央の長孔45に遊嵌された支軸46を支点として揺動する送り台ガイド（図示せず）の前部に設けた軸49により後側から支持されている。以上の構成により前送り台40は、後端の支軸43を枢軸とする揺動と、中央及び先端側の長孔45，47の長さ範囲内での前後動とが可能であり、この揺動と前後動との組み合わせにより前送り台40の先端の前送り歯4aは、図２中に矢符により示す長円形の軌跡に沿って運動することができる。
【手続補正２】
【補正対象書類名】明細書
【補正対象項目名】００２６
【補正方法】変更
【補正の内容】
【００２６】
一方、前送り台40に並設された後送り台41は、前送り台40の後端の切欠き42及び前側の長孔47の夫々に沿う角駒44，48の摺動により前送り台40と独立して前後動し、また前記角駒44，48による拘束下にて前送り台40と一体に揺動する。このような後送り台41の動作により、該後送り台41の先端の後送り歯4bは、前送り歯4aと同様の長円運動を、該前送り歯4aと異なる前後動ストロークを有して行うことができる。
【手続補正３】
【補正対象書類名】明細書
【補正対象項目名】００２７
【補正方法】変更
【補正の内容】
【００２７】
前送り歯4a及び後送り歯4bの上下動及び前後動は、ミシン本体１内部のミシン主軸11を駆動源として行われる。本発明に係るミシンの特徴は、差動送り歯としての前送り歯4aの前後動作を、主送り歯としての後送り歯4bの前後動作に対して動作量を可変に調節して行わせるための送り伝動系の構成にあり、図２には、この送り伝動系の構成のみが示されている。なお前送り歯4a及び後送り歯4bの上下動は、ミシン主軸11の回転を公知のリンク機構（図示せず）を介して前記送り台ガイドに伝え、この伝動に応じて送り台ガイドの前部に設けた前記軸49に生じる上下動を、角駒48を介して前送り台40及び後送り台41に伝えて行われる。
【手続補正４】
【補正対象書類名】図面
【補正対象項目名】図２
【補正方法】変更
【補正の内容】
【図２】
2006075221.tif 000001
【手続補正書】
【提出日】平成18年10月12日(2006.10.12)
【手続補正１】
【補正対象書類名】特許請求の範囲
【補正対象項目名】全文
【補正方法】変更
【補正の内容】
【特許請求の範囲】
【請求項１】
集積回路内に設けられたマルチメディアプロセッサを備えた統合マルチメディアシステムであって、
該マルチメディアプロセッサに接続された第１ホストプロセッサシステムと、
該マルチメディアプロセッサの演算を制御するための、該マルチメディアプロセッサ内に設けられた第２ローカルプロセッサと、
少なくとも一つのデータキャッシュを含む該マルチメディアプロセッサの種々のモジュールにデータを転送するための、該マルチメディアプロセッサ内に設けられ、該第２プロセッサに接続されたデータ転送スイッチと、
該データ転送スイッチに接続され、対応するチャネル割当てに従って該マルチメディアプロセッサ内に設けられた複数のモジュール間の同時データ転送をスケジューリングするように構成されたデータストリーマと、
該データストリーマに接続されかつ複数の入力／出力（I/O）デバイスドライバユニットを備えたインタフェースユニットと、
該マルチメディアプロセッサに接続された複数の外部I/Oデバイスと、
出力ピンを介して、該複数のI/Oデバイスドライバユニットと該外部I/Oデバイスとの間のアクセスを行うための、該インタフェースユニットに接続されたマルチプレクサとを備え、
該データ転送スイッチは、該データキャッシュと該マルチメディアプロセッサの他のモジュール間において、該他のモジュールのリクエストに応じて、双方向にデータの転送を行うように構成されることを特徴とする統合マルチメディアシステム。
【請求項２】
前記外部I/Oデバイスの一の外部I/Oデバイスは、前記複数のI/Oデバイスドライバユニットのうち対応する一のI/Oデバイスドライバユニットにより制御されることを特徴とする請求項１記載の統合マルチメディアシステム。
【請求項３】
前記外部I/Oデバイスの１つが、NTSCデコーダであることを特徴とする請求項２記載の統合マルチメディアシステム。
【請求項４】
前記外部I/Oデバイスの１つが、NTSCエンコーダであることを特徴とする請求項２記載の統合マルチメディアシステム。
【請求項５】
前記外部I/Oデバイスの１つが、無線通信信号を復調するように構成された復調器ユニットであることを特徴とする請求項２記載の統合マルチメディアシステム。
【請求項６】
前記復調器ユニットが、トランスポートチャネルインタフェース構成に従ってマルチメディアプロセッサと通信することを特徴とする請求項５記載の統合マルチメディアシステム。
【請求項７】
前記マルチメディアプロセッサが、ビデオ信号および３次元グラフィック信号を外部ビデオディスプレイデバイスに供給することを特徴とする請求項２記載の統合マルチメディアシステム。
【請求項８】
前記外部I/Oデバイスの１つがISDNインタフェースであることを特徴とする請求項２記載の統合マルチメディアシステム。
【請求項９】
前記外部I/Oデバイスの１つがオーディオ符号化および復号化（CODEC）ユニットであることを特徴とする請求項２記載の統合マルチメディアシステム。
【請求項１０】
集積回路内に設けられたマルチメディアプロセッサを備えた統合マルチメディアシステムであって、
該マルチメディアプロセッサの演算を制御するための、該マルチメディアプロセッサ内に設けられたプロセッサと、
少なくとも一つのデータキャッシュを含む該マルチメディアプロセッサの種々のモジュールにデータを転送するための、該マルチメディアプロセッサ内に設けられ、該プロセッサに接続されたデータ転送スイッチと、
該データ転送スイッチに接続され、対応するチャネル割当てに従って該マルチメディアプロセッサ内に設けられた複数のモジュール間の同時データ転送をスケジューリングするように構成されたデータストリーマと、
該データストリーマに接続され、複数の入力／出力（I/O）デバイスドライバユニットを備えたインタフェースユニットと、
該マルチメディアプロセッサに接続された複数の外部I/Oデバイスと、
出力ピンを介して、該複数のI/Oデバイスドライバユニットと該外部I/Oデバイスとの間のアクセスを行うための、該インタフェースユニットに接続されたマルチプレクサとを備え、
該データ転送スイッチは、該データキャッシュと該マルチメディアプロセッサの他のモジュール間において、該他のモジュールのリクエストに応じて、双方向にデータの転送を行うように構成されることを特徴とする統合マルチメディアシステム。
【請求項１１】
前記外部I/Oデバイスの一の外部I/Oデバイスは、前記複数のI/Oデバイスドライバユニットのうち対応する一のI/Oデバイスドライバユニットにより制御されることを特徴とする請求項１０記載の統合マルチメディアシステム。
【請求項１２】
前記外部I/Oデバイスの１つが、NTSCデコーダであることを特徴とする請求項１１記載の統合マルチメディアシステム。
【請求項１３】
前記外部I/Oデバイスの１つが、NTSCエンコーダであることを特徴とする請求項１１記載の統合マルチメディアシステム。
【請求項１４】
前記外部I/Oデバイスの１つが、無線通信信号を復調するように構成された復調器ユニットであることを特徴とする請求項１１記載の統合マルチメディアシステム。
【請求項１５】
前記復調器ユニットが、トランスポートチャネルインタフェース構成に従ってマルチメディアプロセッサと通信することを特徴とする請求項１４記載の統合マルチメディアシステム。
【請求項１６】
前記マルチメディアプロセッサが、ビデオ信号および３次元グラフィック信号を外部ビデオディスプレイデバイスに供給することを特徴とする請求項１１記載の統合マルチメディアシステム。
【請求項１７】
前記外部I/Oデバイスの１つがISDNインタフェースであることを特徴とする請求項１１記載の統合マルチメディアシステム。
【請求項１８】
前記外部I/Oデバイスの１つがオーディオ符号化および復号化（CODEC）ユニットであることを特徴とする請求項１１記載の統合マルチメディアシステム。
【手続補正書】
【提出日】平成18年10月2日(2006.10.2)
【手続補正１】
【補正対象書類名】特許請求の範囲
【補正対象項目名】全文
【補正方法】変更
【補正の内容】
【特許請求の範囲】
【請求項１】
（ａ）冷却媒体を第１の方向に案内する少なくとも１つの主流路と、
上記主流路の上流側に配置された上記冷却媒体の導入路と、
上記主流路と上記導入路との接続領域のそれぞれに上記主流路と上記導入路とを連通する複数の上流側連通路と、
上記主流路の下流側に配置された上記冷却媒体の排出路と、
上記主流路と上記排出路との接続領域のそれぞれに上記主流路と上記排出路とを連通する複数の下流側連通路とを備えた冷却ジャケットと、
（ｂ）上記冷却ジャケットの上記主流路の天井壁に設けられた電気素子と、
を備えたことを特徴とする電気デバイス。
【請求項２】
上記主流路の天井壁には開口部が設けられ、この開口部を塞ぐように上記電気素子が配置されたことを特徴とする請求項１に記載の電気デバイス。
【請求項３】
上記導入路と排出路のうち少なくとも一方が、上記第１の方向に直交する第２の方向に延在し、この第２の方向の一端に冷却媒体を導入する入口あるいは、排出する出口を備えることを特徴とする請求項１又は２に記載の電気デバイス。
【請求項４】
上記複数の上流側連通路あるいは下流側連通路のうち少なくとも一方が、上記第１の方向に直交する第２の方向に間隔をあけて配置されていることを特徴とする請求項１又は２に記載の電気デバイス。
【請求項５】
上記主流路の上流側端面、上記導入路の端面及び上記上流側連通路の端面が一つの面上に配置されているか、あるいは、上記主流路の下流側端面、上記排出路の端面及び上記下流側連通路の端面が一つの面上に配置されていることを特徴とする請求項１又は２に記載の電気デバイス。
【請求項６】
上記電気素子の上記冷却媒体と接触する面に複数の突起が形成されていることを特徴とする請求項２に記載の電気デバイス。
【請求項７】
上記主流路の上記電気素子に対向する領域に、複数の突起が形成されていることを特徴とする請求項１に記載の電気デバイス。
【請求項８】
上記複数の上流側連通路の少なくとも一つの中心軸上に上記電気素子が配置されたことを特徴とする請求項１又は２に記載の電気デバイス。
【請求項９】
上記導入路又は上記排出路が主流路と上下方向に対向する面積に対する、全ての上記上流側連通路又は全ての上記下流側連通路が主流路と上下方向に対向する領域の面積の比率が、約４０％以下であることを特徴とする請求項１又は２に記載の電気デバイス。
【請求項１０】
冷却媒体を第１の方向に案内する少なくとも１つの主流路と、
上記主流路の上流側に配置された上記冷却媒体の導入路と、
上記主流路と上記導入路との接続領域のそれぞれに上記主流路と上記導入路とを連通する複数の上流側連通路と、
上記主流路の下流側に配置された上記冷却媒体の排出路と、
上記主流路と上記排出路との接続領域のそれぞれに上記主流路と上記排出路とを連通する複数の下流側連通路と、
を備えたことを特徴とする冷却ジャケット。
【手続補正書】
【提出日】平成18年4月25日(2006.4.25)
【手続補正１】
【補正対象書類名】明細書
【補正対象項目名】特許請求の範囲
【補正方法】変更
【補正の内容】
【特許請求の範囲】
【請求項1】
配列番号１に示されたＤＮＡ（ｂＩＡＰ  II）。
【請求項２】
一つまたは複数のウシアルカリ性ホスファターゼのｃＤＮＡの突然変異断片と野生型断片を連結して活性アルカリ性ホスファターゼをコードする遺伝子を形成することを特徴とする、請求項１に記載のＤＮＡを産生する方法。
【請求項３】
請求項１に記載されたｃＤＮＡを含むベクター。
【請求項４】
請求項３に記載のベクターを含む真核または原核細胞。
【請求項５】
請求項１に記載されたＤＮＡを用いることを特徴とする、3000 U/mgより高い比活性を有する高活性組換えアルカリ性ホスファターゼを産生する方法。
【手続補正書】
【提出日】平成18年3月9日(2006.3.9)
【手続補正１】
【補正対象書類名】明細書
【補正対象項目名】請求項１
【補正方法】変更
【補正の内容】
【請求項１】  圃場に植生しているねぎを掘り取る掘り取り装置と、該掘り取り装置により掘り取られたねぎを所定姿勢で機体後方に向け搬送する搬送装置と、該搬送装置により搬送されるねぎから根部に付着している土を落とす土落とし装置とを備えたねぎ収穫機であって、
前記土落とし装置は、搬送装置の搬送方向に対し平行な回転軸心を持った土落とし体を備えていることを特徴とするねぎ収穫機における土落とし装置。
【手続補正２】
【補正対象書類名】明細書
【補正対象項目名】０００４
【補正方法】変更
【補正の内容】
【０００４】
【発明が解決しようとする課題】
上記のように先行技術のねぎ収穫機においては、圃場条件や作物条件が悪くて、ねぎを収穫する土壌に水分を多く含み、ねぎの根の張りが著しい、などの場合には、土が落ちにくく、後作業において再び土を落とさなければならず、多くの手間を要する、という改善すべき課題があった。
そこで本発明は、上記の課題を解決すべく、土落とし装置の性能を向上させて収穫作業全体の作業能率を向上させるようにしたねぎ収穫機における土落とし装置を提供することを目的とする。
【手続補正３】
【補正対象書類名】明細書
【補正対象項目名】０００５
【補正方法】変更
【補正の内容】
【０００５】
【課題を解決するための手段】
上記の目的を達成するために本発明は、以下の構成を有すること特徴とする。
Ａ．圃場に植生しているねぎを掘り取る掘り取り装置と、該掘り取り装置により掘り取られたねぎを所定姿勢で機体後方に向け搬送する搬送装置と、該搬送装置により搬送されるねぎから根部に付着している土を落とす土落とし装置とを備えたねぎ収穫機であって、前記土落とし装置は、搬送装置の搬送方向に対し平行な回転軸心を持った土落とし体を備えている。
【手続補正書】
【提出日】平成17年11月22日(2005.11.22)
【手続補正１】
【補正対象書類名】明細書
【補正対象項目名】特許請求の範囲
【補正方法】変更
【補正の内容】
【特許請求の範囲】
【請求項１】  分解対象物質を含むガスを分解処理するガス処理装置において、少なくとも２枚の平板状接地電極が平行に並んでいる間に少なくとも１本以上のワイヤー状高電圧印加電極が配置された非平衡プラズマを発生するプラズマリアクターを有しており、前記プラズマリアクター内に前記分解対象物質を含む前記ガスを通過させることで前記分解対象物質を分解することが出来ることを特徴とするガス処理装置。
【請求項２】 前記ワイヤー状高電圧印加電極は２本以上配置され、前記平板接地電極の面内方向において互いに平行に配置されていることを特徴とする請求項１に記載のガス処理装置。
【請求項３】 前記少なくとも２枚の平板状接地電極が平行に並んでいる前記間には、無機誘電体が充填配置されていることを特徴とする請求項１または２に記載のガス処理装置。
【請求項４】 前記ワイヤー状高電圧印加電極の径は、５ｍｍ以下であることを特徴とする請求項１から３のいずれか一項に記載のガス処理装置。
【請求項５】 前記２本以上のワイヤー状高電圧印加電極同士の距離は、前記平板接地電極と前記ワイヤー状高電圧印加電極との距離に対し１〜３倍であることを特徴とする請求項２に記載のガス処理装置。
【請求項６】 分解対象物質を含むガスを分解処理するガス処理方法において、前記分解対象物質を含む前記ガスを、少なくとも２枚の平板状接地電極が平行に並んでいる間に少なくとも１本以上のワイヤー状高電圧印加電極が配置された非平衡プラズマを発生するプラズマリアクターに通過させることで前記分解対象物質を分解することを特徴とするガス処理方法。
【手続補正書】
【提出日】平成18年3月6日(2006.3.6)
【手続補正１】
【補正対象書類名】明細書
【補正対象項目名】特許請求の範囲
【補正方法】変更
【補正の内容】
【特許請求の範囲】 
【請求項１】
両側の横方向に配列された遊技台の上方近傍に設置され、遊技台配列方向に沿って紙幣搬送路を形成して紙幣を搬送する紙幣搬送部を備えた紙幣搬送装置の終端に、各々の紙幣搬送装置にて搬送されてきた紙幣を整列収納する各々の紙幣収納装置を備えた島管理装置であって、
前記島管理装置は、略矩形形状の筐体から成り、該筐体の両側面に長方形状に開口した開口部を設け、該開口部にコの字状に形成した側壁を内装し、該側壁の上下に上下面長孔を設けると共に、螺子を固着して伸縮自在と成し、前記各々の紙幣収納装置の取り付け位置に応じて、前記筐体の両側壁の長さを可変させるように成し、前記側壁の上面にシール部材を貼り付けたことを特徴とする、島管理装置。
【請求項２】
両側の横方向に配列された遊技台の上方近傍に設置され、遊技台配列方向に沿って紙幣搬送路を形成して紙幣を搬送する紙幣搬送部を備えた紙幣搬送装置の終端に、各々の紙幣搬送装置にて搬送されてきた紙幣を整列収納する各々の紙幣収納装置を備えた島管理装置であって、
前記島管理装置は、略矩形形状の筐体から成り、該筐体の両側面に長方形状に開口した開口部を設け、該開口部にコの字状に形成した側壁を内装し、該側壁の上下に設けた折曲片に上下長孔を設けると共に、螺子を固着して伸縮自在と成し、前記各々の紙幣収納装置の取り付け位置に応じて、前記筐体の両側壁の長さを可変させる構成としたことを特徴とする、島管理装置。
【手続補正２】
【補正対象書類名】明細書
【補正対象項目名】００１１
【補正方法】変更
【補正の内容】
【００１１】
【課題を解決するための手段】
以上のような課題を解決するために、本発明の島管理装置は、両側の横方向に配列された遊技台の上方近傍に設置され、遊技台配列方向に沿って紙幣搬送路を形成して紙幣を搬送する紙幣搬送部を備えた紙幣搬送装置の終端に、各々の紙幣搬送装置にて搬送されてきた紙幣を整列収納する各々の紙幣収納装置を備えた島管理装置であって、
前記島管理装置は、略矩形形状の筐体から成り、該筐体の両側面に長方形状に開口した開口部を設け、該開口部にコの字状に形成した側壁を内装し、該側壁の上下に上下面長孔を設けると共に、螺子を固着して伸縮自在と成し、前記各々の紙幣収納装置の取り付け位置に応じて、前記筐体の両側壁の長さを可変させるように成し、前記側壁の上面にシール部材を貼り付けたことを特徴とする。
また、本発明の島管理装置は、両側の横方向に配列された遊技台の上方近傍に設置され、遊技台配列方向に沿って紙幣搬送路を形成して紙幣を搬送する紙幣搬送部を備えた紙幣搬送装置の終端に、各々の紙幣搬送装置にて搬送されてきた紙幣を整列収納する各々の紙幣収納装置を備えた島管理装置であって、
前記島管理装置は、略矩形形状の筐体から成り、該筐体の両側面に長方形状に開口した開口部を設け、該開口部にコの字状に形成した側壁を内装し、該側壁の上下に設けた折曲片に上下長孔を設けると共に、螺子を固着して伸縮自在と成し、前記各々の紙幣収納装置の取り付け位置に応じて、前記筐体の両側壁の長さを可変させる構成、としたことを特徴とする。
【手続補正書】
【提出日】平成18年2月6日(2006.2.6)
【手続補正１】
【補正対象書類名】明細書
【補正対象項目名】００２０
【補正方法】変更
【補正の内容】
【００２０】
また、被覆部４６ｂの後縁部上面には、切断された縫糸Ｔのルーパー１２側の糸端Ｅを保持する６基の糸保持部材８７が、ルーパー１２の割出方向（左右方向）へ一列に並べて設けられている。各糸保持部材８７は、可動メス６７より下側の位置で糸端Ｅを受ける固定部としての糸受け８６と、糸受け８６に上方から対向する可動部としての糸押え８８と、糸押え８８を糸受け８６に対し上下に開閉可能に支持する支柱８９と、糸押え８８を閉鎖方向へ付勢する圧縮バネ９０とから構成されている。糸受け８６は、基板６３の前端部に上方から接合するように、被覆部４６ｂの後縁に一体形成されている。
【手続補正２】
【補正対象書類名】明細書
【補正対象項目名】００２７
【補正方法】変更
【補正の内容】
【００２７】
縫製が始まると、鉤針４が針落孔５３に下降した状態で、ルーパー１２が回動して縫糸Ｔを鉤針４に掛け、図９（ｂ）に示すように、鉤針４が縫糸Ｔを引き上げて加工布Ｗに環状縫目を形成する。この縫製の初期に、例えば２つ又は３つの縫目が形成されると、メス駆動モータ３２が正回転し、アーム７３が揺動し、可動メス６７が前進する。そして、可動メス６７の前進途中位置（図８ｂ参照）で、前端の解除部９９が係合部９２に係合して糸押え８８を開いたのち、メス駆動モータ３２が停止する。これにより、糸保持部材８７による糸端Ｅの保持状態が解除される。
【手続補正書】
【提出日】平成18年10月23日(2006.10.23)
【手続補正１】
【補正対象書類名】明細書
【補正対象項目名】００６２
【補正方法】変更
【補正の内容】
【００６２】
たとえば、上記表２の装飾画像変動パターン第１テーブル43から装飾画像変動時間が５秒であるパターンａを選択した場合には、上記表１の特別図柄変動パターン第１テーブル42からは、特別図柄変動時間が同じく５秒であるパターンＡ又はパターンＢを選択することとなる。また、装飾画像変動パターン第１テーブル43から装飾画像変動時間が８秒であるパターンｃを選択した場合には、特別図柄変動時間が同じく８秒であるパターンＣを選択することとなる。このように、第１変動パターン選択手段44は、特別図柄変動時間と装飾画像変動時間とが同一となるような特別図柄変動パターン及び装飾画像変動パターンを選択する。
【手続補正書】
【提出日】平成18年3月27日(2006.3.27)
【手続補正１】
【補正対象書類名】明細書
【補正対象項目名】特許請求の範囲
【補正方法】変更
【補正の内容】
【特許請求の範囲】
【請求項１】  遊技球，遊技メダル等の遊技媒体を遊技者に払い出す払出装置と、遊技機を統括管理する主制御装置とを備えた遊技機において、
前記主制御装置とは別に設けられるとともに前記払出装置を制御する遊技媒体処理制御装置と、カード等の記録媒体から導き出される残数情報に基づいて遊技媒体の貸出を要求するために操作される貸出操作手段とを備え、
前記遊技媒体処理制御装置には、
遊技媒体を仮想遊技媒体としてその数を記憶する仮想遊技媒体記憶手段と、
前記貸出操作手段の操作に基づく貸出要求に応じ、前記仮想遊技媒体記憶手段に記憶された遊技媒体数が所定数となるまでは、遊技媒体の貸出を仮想遊技媒体記憶手段への仮想遊技媒体の追加記録により行ない、前記所定数の超過分は遊技媒体の貸出を前記払出装置を駆動制御することにより行なうように制御する貸出制御手段と
を設けたことを特徴とする遊技機。
【請求項２】  前記仮想遊技媒体記憶手段に記憶された仮想遊技媒体数を遊技者に視認可能に表示する仮想遊技媒体数表示手段を設けたことを特徴とする請求項１記載の遊技機。
【請求項３】  前記遊技媒体処理制御装置には、前記仮想遊技媒体記憶手段に記憶された前記仮想遊技媒体数を読み出して前記仮想遊技媒体数表示手段にその数を表示する表示制御手段を設けたことを特徴とする請求項２記載の遊技機。
【請求項４】  前記貸出操作手段は、今回の遊技に必要な遊技媒体を投入するためのベット操作手段であることを特徴とする請求項１乃至３のいずれかに記載の遊技機。
【請求項５】  前記貸出制御手段は、前記ベット操作手段の操作により、仮想遊技媒体記憶手段への仮想遊技媒体の追加記録とともに、今回の遊技に必要な遊技媒体の投入動作が仮想遊技媒体からの電子的な投入として実行されるように制御することを特徴とする請求項４記載の遊技機。
【請求項６】  前記所定数は、少なくとも今回及び次回の遊技が可能となる遊技媒体数であることを特徴とする請求項１乃至５のいずれかに記載の遊技機。
【請求項７】  前記所定数は、前記仮想遊技媒体記憶手段により記憶できるものとして設定された最大記憶数よりも少ない数値として設定されていることを特徴とする請求項１乃至５のいずれかに記載の遊技機。
【請求項８】  前記所定数は、仮想遊技媒体記憶手段により記憶できる数の範囲内で変更設定可能としたことを特徴とする請求項１乃至７のいずれかに記載の遊技機。
【手続補正書】
【提出日】平成18年3月27日(2006.3.27)
【手続補正１】
【補正対象書類名】明細書
【補正対象項目名】特許請求の範囲
【補正方法】変更
【補正の内容】
【特許請求の範囲】
【請求項１】  遊技球を貯留する貯留部と、該貯留部に遊技球を払い出す払出装置と、該貯留部から遊技球を取り込む投入装置とを備え、所定数の遊技球の取込に基づいて遊技を実行する遊技機において、
前記払出装置を駆動制御する払出制御装置と、
カード等の記録媒体から導き出される残数情報に基づいて遊技媒体の貸出を要求するために操作される貸出操作手段とを備え、
前記払出制御装置には、
遊技球を仮想遊技球としてその数を記憶する仮想遊技球記憶手段と、
前記貸出操作手段の操作に基づく貸出要求に応じ、前記仮想遊技球記憶手段に記憶された遊技球数が規定数となるまでは、遊技球の貸出を仮想遊技球記憶手段への仮想遊技球の追加記録により行ない、前記規定数の超過分は遊技球の貸出を前記払出装置を駆動制御することにより行なうように制御する貸出制御手段と
を設けたことを特徴とする遊技機。
【請求項２】  前記仮想遊技球記憶手段に記憶された仮想遊技球数を遊技者に視認可能に表示する仮想遊技球数表示手段を設けたことを特徴とする請求項１記載の遊技機。
【請求項３】  前記払出制御装置には、前記仮想遊技球記憶手段に記憶された前記仮想遊技球数を読み出して前記仮想遊技球数表示手段にその数を表示する表示制御手段を設けたことを特徴とする請求項２記載の遊技機。
【請求項４】  前記規定数は、前記仮想遊技球記憶手段により記憶できるものとして設定された最大記憶数であることを特徴とする請求項１乃至３のいずれかに記載の遊技機。
【請求項５】  前記規定数は、仮想遊技球記憶手段により記憶できる数の範囲内で変更設定可能としたことを特徴とする請求項１乃至３のいずれかに記載の遊技機。
【請求項６】  払出制御装置は、前記投入装置をも駆動制御する投入払出制御装置として構成されたものであることを特徴とする請求項１乃至５のいずれかに記載の遊技機。
【手続補正書】
【提出日】平成18年3月27日(2006.3.27)
【手続補正１】
【補正対象書類名】明細書
【補正対象項目名】特許請求の範囲
【補正方法】変更
【補正の内容】
【特許請求の範囲】
【請求項１】  遊技球を貯留する貯留部と、該貯留部に遊技球を払い出す払出装置と、該貯留部から遊技球を取り込む投入装置とを備えた遊技機において、
遊技機を統括管理する主制御装置と、
前記主制御装置とは別に設けられるとともに当該主制御装置と通信手段を介して接続され、前記払出装置及び投入装置をともに制御する投入払出制御装置とを備えたことを特徴とする遊技機。
【請求項２】  遊技球を貯留する貯留部と、該貯留部に遊技球を払い出す払出装置と、該貯留部から遊技球を取り込む投入装置とを備えた遊技機において、
遊技機を統括管理する主制御装置と、
前記主制御装置とは別に設けられるとともに当該主制御装置と通信手段を介して接続され、前記払出装置及び投入装置をともに制御するとともに、遊技機に隣接配置される貸球ユニットと接続されて当該貸球ユニットを制御する投入払出制御装置と
を備えたことを特徴とする遊技機。
【請求項３】  遊技球を仮想遊技球として記憶する仮想遊技球記憶手段と、その記憶された仮想遊技球数を表示する記憶球数表示手段と備え、前記投入払出制御装置が前記仮想遊技球記憶手段を内蔵するとともに、前記記憶球数表示手段を制御するように構成したことを特徴とする請求項１又は２記載の遊技機。
【請求項４】  遊技メダルを貯留する貯留部と、該貯留部に遊技メダルを払い出す払出装置と、遊技者の投入動作によって投入された遊技メダルの受入処理を行なう受入装置とを備えた遊技機において、
遊技機を統括管理する主制御装置と、
前記主制御装置とは別に設けられるとともに当該主制御装置と通信手段を介して接続され、前記払出装置及び受入装置をともに制御する受入払出制御装置とを備えたことを特徴とする遊技機。
【手続補正書】
【提出日】平成18年3月23日(2006.3.23)
【手続補正１】
【補正対象書類名】特許請求の範囲
【補正対象項目名】全文
【補正方法】変更
【補正の内容】
【特許請求の範囲】
【請求項１】
松樹皮抽出物および平均分子量３，０００以上７，０００以下のタンパク質分解ペプチドを含有する食品組成物であって、該松樹皮抽出物が、カテキン類を５重量％以上、２〜４量体のプロアントシアニジンを２０重量％以上含有し、かつ、５量体以上のプロアントシアニジン１重量部に対し、２〜４量体のプロアントシアニジンを１重量部以上の割合で
含有する、食品組成物。
【手続補正書】
【提出日】平成18年2月20日(2006.2.20)
【手続補正１】
【補正対象書類名】明細書
【補正対象項目名】特許請求の範囲
【補正方法】変更
【補正の内容】
【特許請求の範囲】
【請求項１】  座席シート２を有する車両用シートの背凭シート３の背凭骨格フレーム４に、平板状に形成した板状支持材５を、ワイヤスプリング１２を介して前記背凭骨格フレーム４に対して前後移動自在に取付け、前記板状支持材５は、少なくとも、着座者の第九胸椎付近と、着座者の骨盤・仙骨付近とを支持するように構成した車両用シートの背凭シート。
【請求項２】  請求項１において、前記板状支持材５は、少なくとも、着座者の第九胸椎付近を支持する上部板状支持材５と、着座者の骨盤・仙骨付近を支持する下部板状支持材５とに分割形成して上下に並設した車両用シートの背凭シート。
【請求項３】  請求項１または請求項２において、前記板状支持材５は着座者を支持しうる所定の強度を有するように構成した車両用シートの背凭シート。
【請求項４】  請求項１または請求項２または請求項３において、前記ワイヤスプリング１２は一端を板状支持材５に取付け、他端を前記背凭骨格フレーム４に取付け、前記板状支持材５が面形状を保持したまま後方移動しうる弾性となるように構成した車両用シートの背凭シート。
【手続補正２】
【補正対象書類名】明細書
【補正対象項目名】０００６
【補正方法】変更
【補正の内容】
【０００６】
【課題を解決するための手段】
本発明は、座席シート２を有する車両用シートの背凭シート３の背凭骨格フレーム４に、平板状に形成した板状支持材５を、ワイヤスプリング１２を介して前記背凭骨格フレーム４に対して前後移動自在に取付け、前記板状支持材５は、少なくとも、着座者の第九胸椎付近と、着座者の骨盤・仙骨付近とを支持するように構成した車両用シートの背凭シートとしたものであり、板状支持材５はワイヤスプリング１２により所定位置に位置しており、着座者が車両用シート１に着座すると、その体重を板状支持材５全体が支受しつつ、ワイヤスプリング１２が撓んで板状支持材５が後方に移動する。
そのため、着座者の背は板状支持材５による「面」で支持され、着座感が向上する。
本発明は、前記板状支持材５は、少なくとも、着座者の第九胸椎付近を支持する上部板状支持材５と、着座者の骨盤・仙骨付近を支持する下部板状支持材５とに分割形成して上下に並設した車両用シートの背凭シートとしたものであり、着座者の背中は上下２点で支持され、着座時の疲労を軽減させる。
本発明は、前記板状支持材５は着座者を支持しうる所定の強度を有するように構成した車両用シートの背凭シートとしたものであり、例えば、着座者が左右何れかに寄った側に後方荷重が掛かったような場合、ジグザグバネで例えると、左右方向の夫々で撓み量を均一化したことになって着座感を良好にする。
本発明は、前記ワイヤスプリング１２は一端を板状支持材５に取付け、他端を前記背凭骨格フレーム４に取付け、前記板状支持材５が面形状を保持したまま後方移動しうる弾性となるように構成した車両用シートの背凭シートとしたものであり、後方への負荷が掛かった場合は、板状支持材５全体がワイヤスプリング１２を撓ませて後方移動し、着座姿勢が安定し、着座感が良好となる。
【手続補正３】
【補正対象書類名】明細書
【補正対象項目名】００３４
【補正方法】変更
【補正の内容】
【００３４】
【効果】
本発明は、座席シート２を有する車両用シートの背凭シート３の背凭骨格フレーム４に、平板状に形成した板状支持材５を、ワイヤスプリング１２を介して前記背凭骨格フレーム４に対して前後移動自在に取付け、前記板状支持材５は、少なくとも、着座者の第九胸椎付近と、着座者の骨盤・仙骨付近とを支持するように構成した車両用シートの背凭シートとしたものであるから、簡単な構成でジグザグバネで例えると、左右方向の夫々で撓み量を均一化を達成できる。
本発明は、前記板状支持材５は、少なくとも、着座者の第九胸椎付近を支持する上部板状支持材５と、着座者の骨盤・仙骨付近を支持する下部板状支持材５とに分割形成して上下に並設した車両用シートの背凭シートとしたものであるから、着座者の背中は上下２点で支持され、着座時の疲労を軽減させる。
本発明は、前記板状支持材５は着座者を支持しうる所定の強度を有するように構成した車両用シートの背凭シートとしたものであるから、着座感を良好にする。
本発明は、前記ワイヤスプリング１２は一端を板状支持材５に取付け、他端を前記背凭骨格フレーム４に取付け、前記板状支持材５が面形状を保持したまま後方移動しうる弾性となるように構成した車両用シートの背凭シートとしたものであるから、後方への負荷が掛かった場合は、板状支持材５全体がワイヤスプリング１２を撓ませて後方移動し、背当たり時の感触を柔軟にする。
【手続補正書】
【提出日】平成18年8月17日(2006.8.17)
【手続補正１】
【補正対象書類名】明細書
【補正対象項目名】特許請求の範囲
【補正方法】変更
【補正の内容】
【特許請求の範囲】
【請求項１】  
音声出力回路を備えた遊技機において、
前記音声出力回路は、
音声入力信号を増幅出力する増幅手段と、
前記増幅手段からの出力信号を音声出力する音声出力手段と、
制御信号入力に基づいて、前記増幅手段に容量結合された音声入力ラインを電気的に断線する断線手段と、
前記増幅手段の音声入力ラインに並列接続され、前記断線手段により電気的に断線された前記増幅手段の音声入力ラインを抵抗を介して所定電位に降圧する降圧手段と
を備えている
ことを特徴とする遊技機。
【請求項２】  
請求項１に記載の遊技機において、
前記断線手段は、制御信号入力に基づいて前記増幅手段の音声入力ラインの導通／非導通を切り換えるスイッチ集積回路であることを特徴とする遊技機。
【請求項３】  
請求項１または請求項２に記載の遊技機において、
さらに、遊技に応じた音声出力をさせるように前記音声出力回路を制御する音声制御手段を備え、
前記音声出力回路は、前記音声制御手段からの制御信号に基づいて前記増幅手段の音声入力ラインを電気的に断線する
ことを特徴とする遊技機。
【請求項４】  
遊技球が打ち込まれる遊技領域を有する遊技盤と、
遊技者による発射操作に応じて、遊技球を前記遊技盤の遊技領域に打ち込む遊技球発射手段と、
遊技領域内に設けられ、識別情報を変動表示する識別情報変動表示手段と、
遊技領域内に設けられ、遊技球が入賞可能な入賞手段と、
前記入賞手段に遊技球が入賞したことを検出する入賞検出手段と、
特別遊技状態となるか否かを決定するための第１乱数群を発生させる第１乱数発生手段と、
前記入賞検出手段での入賞検出に基づいて、前記第１乱数発生手段で発生させた第１乱数群のうちの一の第１乱数を記憶する第１乱数記憶手段と、
前記第１乱数記憶手段に記憶された第１乱数が当り値であるか否かを判定する第１判定手段と、
前記第１乱数発生手段と前記第１乱数記憶手段と前記第１判定手段とを備え、遊技を統括制御する主制御手段と、
前記入賞検出手段での入賞検出に基づいて前記識別情報変動表示手段の変動表示を開始させ、前記第１判定手段での判定結果に応じた変動表示結果を表示させるように前記識別情報変動表示手段を表示制御する表示制御手段と、
前記第１判定手段で当り値であると判定された場合に特別遊技状態を発生させる状態発生手段と、
前記主制御手段または前記表示制御手段からの指示に基づいて、所定の音声出力を行う音声出力回路と、
を備え、
前記音声出力回路は、
音声入力信号を増幅出力する増幅手段と、
前記増幅手段からの出力信号を音声出力する音声出力手段と、
前記主制御手段または前記表示制御手段からの制御信号入力に基づいて、前記増幅手段に容量結合された音声入力ラインを電気的に断線する断線手段と、
前記増幅手段の音声入力ラインに並列接続され、前記断線手段により電気的に断線された前記増幅手段の音声入力ラインを抵抗を介して所定電位に降圧する降圧手段と
を備えている
ことを特徴とする遊技機。
【請求項５】  
請求項４に記載の遊技機において、
さらに、前記主制御手段または前記表示制御手段からの指示に基づいて、遊技に応じた音声出力をさせるように前記音声出力回路を制御する音声制御手段を備え、
前記音声出力回路は、前記音声制御手段からの制御信号に基づいて前記増幅手段の音声入力ラインを電気的に断線する
ことを特徴とする遊技機。
【請求項６】  
請求項５に記載の遊技機において、
前記主制御手段は、第１図柄の変動表示が所定期間以上にわたって行われていないことを検出すると待機コマンドを前記表示制御手段に出力し、
前記表示制御手段は、受信した待機コマンドに基づいて、前記識別情報変動表示手段を表示制御するとともに、当該待機コマンドを前記音声制御手段に出力し、
前記音声制御手段は、受信した待機コマンドに基づいて、前記音声出力回路を消音制御する
ことを特徴とする遊技機。
【請求項７】  
請求項５または請求項６に記載の遊技機において、
さらに、所定の消音処理開始条件の成立を検出する条件成立検出手段を備え、
前記音声制御手段は、前記条件成立検出手段での条件成立検出に基づいて前記音声出力回路を消音制御する
ことを特徴とする遊技機。